(57)【特許請求の範囲】
【請求項１】
トリガーボディの前部にノズルを設けてなり、
該トリガーボディに支持したシュラウドにより該ノズルの少なくとも上側を覆い、該シュラウドは該ノズルの周囲の全周に対し空隙を介するトリガー式液体噴出器であって、
該シュラウドと該トリガーボディとの間にばね体からなる緩衝手段を介装したトリガー式液体噴出器。
【請求項２】
前記ばね体がシュラウドの内面に当接配置される請求項１に記載のトリガー式液体噴出器。
【請求項３】
前記ばね体がシュラウドの内面に微小間隙を介して対向配置される請求項１に記載のトリガー式液体噴出器。
【発明の詳細な説明】
【技術分野】
【０００１】
本発明はトリガー式液体噴出器に関する。
【背景技術】
【０００２】
特許文献１に記載の如く、トリガー式液体噴出器において、物流段階での落下時にノズルを保護するため、ノズルを被包するトリガーカバーを備えたものがある。トリガーカバーは、トリガー式液体噴出器の物流段階で、ノズルを被包するとともに、不用意に外れることを防止するため、トリガーボディの後部の内部空間に折り込まれて係止固定される。トリガーカバーは、トリガー式液体噴出器の使用段階では、トリガーボディから取外されて除去される。
【先行技術文献】
【特許文献】
【０００３】
【特許文献１】特開2002-2841（１頁、図１）
【発明の概要】
【発明が解決しようとする課題】
【０００４】
特許文献１のトリガーカバーは、トリガー式液体噴出器の物流段階で、トリガー式液体噴出器の落下時にノズルを保護しようとするものであるが、該カバーの先端の天面、側面及び底面によりノズルを被包固定するものであり、ノズルに直接的に支持される。たとえ、トリガーカバーとノズルの間にクッション材を挟んだとしても、トリガーカバーはノズルに間接的に支持される。
【０００５】
従って、トリガー式液体噴出器が内容液を収容した状態で逆さ向きに落下したときには、トリガーカバーに作用する衝撃荷重が直接的に、又はクッション材を介してノズルに及ぶ。衝撃荷重がノズルに及ぶ以上、ノズルの損傷を確実には防止できない。
【０００６】
トリガー式液体噴出器の軽量化を目的として構成部品の薄肉化を図ったりする場合には、衝撃荷重に対する耐久度のより確実な向上が必要とされる。
【０００７】
尚、特許文献１のトリガーカバーは、トリガー式液体噴出器の使用段階ではトリガーボディから除去されるものであり、使用段階でノズルを保護するところが一切ない。
【０００８】
本発明の課題は、トリガー式液体噴出器において、落下時のノズルの損傷を確実に防止することにある。
【課題を解決するための手段】
【０００９】
請求項１の発明は、トリガーボディの前部にノズルを設けてなり、該トリガーボディに支持したシュラウドにより該ノズルの少なくとも上側を覆い、該シュラウドは該ノズルの周囲の全周に対し空隙を介するトリガー式液体噴出器であって、該シュラウドと該トリガーボディとの間にばね体からなる緩衝手段を介装したものである。
【図面の簡単な説明】
【００１０】
【図１】図１はトリガー式液体噴出器の参考例を示す断面図である。
【図２】図２は図１のII−II線に沿う断面図である。
【図３】図３は図２のリブを示す斜視図である。
【図４】図４はトリガー式液体噴出器の変形例を示す要部断面図である。
【図５】図５は図４のリブを示す斜視図である。
【図６】図６はトリガー式液体噴出器の本発明例を示す断面図である。
【図７】図７は図６のばね体を示す模式図である。
【図８】図８はばね体の変形例を示す模式図である。
【発明を実施するための形態】
【実施例】
【００１１】
トリガー式液体噴出器１０は、図１の参考例に示す如く、容器１１の開口部に接続される通液体１２を、該容器１１に螺着されるキャップ１３により該容器１１に固定する。トリガー式液体噴出器１０は、通液体１２にトリガーボディ１４を嵌合して一体化し（通液体１２とトリガーボディ１４は一体成形されても可）、トリガーボディ１４の主筒１４Ａをキャップ１３の側から起立し、主筒１４Ａの中間部から前方にシリンダ筒１４Ｂを突設し、主筒１４Ａの上端部から前方に射出筒１４Ｃを突設している。
【００１２】
トリガー式液体噴出器１０は、トリガーレバー１５の上端部をトリガーボディ１４の射出筒１４Ｃにおける前方側の両外側部に回動自在に枢着し、シリンダ筒１４Ｂに嵌合させたプランジャ１７の前端部にトリガーレバー１５の中間部の後面を係合させ、シリンダ筒１４Ｂに内蔵のスプリング１８によりプランジャ１７を介してトリガーレバー１５を前方に弾発させる。
【００１３】
トリガー式液体噴出器１０は、トリガーボディ１４の射出筒１４Ｃの前端小外径部に連結筒１９を嵌合し、連結筒１９の前端外径部にノズル２０を回動自在に嵌合する。ノズル２０は回動操作レバー２０Ａを備える。トリガー式液体噴出器１０は、回動操作レバー２０Ａによるノズル２０の回動で、連結筒１９とノズル２０が形成する液体吐出路を切換え開閉自在にする。
【００１４】
トリガー式液体噴出器１０は、容器１１の内部に延びるディップチューブ２１を通液体１２の下端部に挿着し、通液体１２の内部に入側逆止弁２２、出側逆止弁２３を設けている。
【００１５】
これにより、トリガー式液体噴出器１０にあっては、トリガーレバー１５の引き操作に基づくプランジャ１７の加圧動作により、シリンダ筒１４Ｂ内の液体を出側逆止弁２３経由でノズル２０から噴出する。また、トリガーレバー１５の引き操作解除に基づくプランジャ１７の戻り動作で、容器１１内の液体を入側逆止弁２２経由でシリンダ筒１４Ｂに吸込む。
【００１６】
トリガー式液体噴出器１０は、図１に示す如く、トリガーボディ１４に支持されて該トリガーボディ１４の上面部、背面部及び両側面部を覆うシュラウド３０により、ノズル２０の上側と、両側部（図１では両側部のうちの上側寄り部分、但し、両側部の全部でも可）を覆い、シュラウド３０とトリガーボディ１４との間に緩衝手段４０を介装した。
【００１７】
シュラウド３０は、トリガーボディ１４の主筒１４Ａにおける後方から、主筒１４Ａ、シリンダ筒１４Ｂ及び射出筒１４Ｃを覆うように被着可能にされ、主筒１４Ａに相対する背面３１、背面３１の上部から射出筒１４Ｃに沿ってノズル２０の前端部まで延びる天面３２、背面３１の下部から主筒１４Ａの後部まで延びる底面３３、背面３１、天面３２及び底面３３の両側縁から延びてトリガーボディ１４の全体（主筒１４Ａ、シリンダ筒１４Ｂ及び射出筒１４Ｃ）及びノズル２０の前端部を覆う両側面３４を備える。シュラウド３０の天面３２及び両側面３４の前側部分は、ノズル２０の前端部の前方位置（又は前端部と面一位置）まで延在し、ノズル２０の周囲の全周に対し空隙Ｇを介する。
【００１８】
シュラウド３０の天面３２の内面に設けた上係止部３５Ａをトリガーボディ１４の主筒１４Ａ又は射出筒１４Ｃの上面に設けた係止部３５Ｂに係止し、底面３３の前端側内面に設けた下係止部３６Ａをトリガーボディ１４の主筒１４Ａの後面に設けた係止部３６Ｂに係止することにより、シュラウド３０をトリガーボディ１４に係止固定状態で支持する。
【００１９】
緩衝手段４０は、トリガーボディ１４の射出筒１４Ｃにおいてノズル２０（本実施形態ではノズル２０及び連結筒１９）が被着された部分の直近の後部で、該射出筒１４Ｃの上面の頂部を周方向で挟む２箇所のそれぞれに一体成形され、射出筒１４Ｃから突設されたリブ４１、４１にて構成される。リブ４１、４１は、該各リブ４１の中心線（射出筒１４Ｃから立上がるリブ４１の立上り方向に沿う中心軸線Ｌ（図２））が鉛直方向と一致しないように、射出筒１４Ｃから斜め上方に向けて突設される。各リブ４１はシュラウド３０の天面３２の内面に当接（又は微小間隙を介して対向）配置される。
【００２０】
本参考例のリブ４１は、角棒状（丸棒状でも可）をなし、１つの側面（相対する２つの側面等、複数の側面でも可）の高さ方向（リブ４１の突設方向）の中間部の一部にＶ溝状の切欠を設けて形成された脆弱部４１Ａを備える。
【００２１】
尚、リブ４１は、図４、図５示す如く、トリガーボディ１４の射出筒１４Ｃの長手方向に沿って射出筒１４Ｃに突設される平板状をなすものでも良い。図４、図５のリブ４１は、相対する２つの側面の高さ方向の中間部の一部にＶ溝状の切欠を設けて形成された脆弱部４１Ａ、４１Ａを備える。
【００２２】
尚、本発明において、「上側」、「上方」とは、トリガー式液体噴出器１０を設けた容器１１を水平面上に正立させたときの鉛直上方をいう。
【００２３】
本参考例によれば以下の作用がある。
(a)シュラウド３０は、トリガーボディ１４に支持される状態で、ノズル２０の上側を覆う。従って、トリガー式液体噴出器１０が内容液を収容した状態で逆さ向きに落下したときに、シュラウド３０に作用する衝撃荷重はトリガーボディ１４に及び、ノズル２０に及ぶことがない。衝撃荷重がノズル２０に及ばないから、ノズル２０の損傷を確実に防止できる。
【００２４】
(b)シュラウド３０に作用する衝撃荷重は、緩衝手段４０を介してトリガーボディ１４に及ぶ。従って、衝撃荷重によるトリガーボディ１４の損傷も防止できる。
【００２５】
(c)上述(b)の緩衝手段４０が脆弱部４１Ａ付きのリブ４１からなるものとすることにより、衝撃荷重の緩衝の確実を図ることができる。
【００２６】
(d)リブ４１の中心線を鉛直方向と一致しないように設置したから、トリガー式液体噴出器１０が逆さ向きに落下したとき、シュラウド３０からリブ４１を介してボディ１４の射出筒１４Ｃに及ぶ力が小さくなり、射出筒１４Ｃに及ぼす衝撃荷重をより緩衝するものになる。
【００２７】
(e)シュラウド３０は、ノズル２０の周囲の全周に対し空隙Ｇを設ける。従って、シュラウド３０に作用する衝撃荷重がノズル２０に及ぶことを確実に回避し、ノズル２０の損傷を確実に防止できる。
【００２８】
図６はトリガー式液体噴出器１０の本発明例を示すものであり、この本発明例が前述した図１のものと異なる点は、緩衝手段４０をばね体５１により構成したことにある。即ち、緩衝手段４０は、図７に示す如く、トリガーボディ１４の射出筒１４Ｃにおいてノズル２０が被着された部分の直近の後部で、該射出筒１４Ｃの上面の頂部に一体成形され、射出筒１４Ｃから突設された片持ち状のばね体５１にて構成される。ばね体５１は射出筒１４Ｃからの突設方向（立上り方向）において湾曲部をもつ平板状をなす。ばね体５１はシュラウド３０の天面３２の内面に当接（又は微小間隙を介して対向）配置される。
【００２９】
尚、緩衝手段４０は、射出筒１４Ｃの上面の頂部を周方向で挟む２ヵ所のそれぞれに、２個のばね体５１、５１のそれぞれを一体成形するものでも良い。そして、ばね体５１、５１が、各ばね体５１の中心線が鉛直方向と一致しないように、射出筒１４Ｃから斜め上方に向けて突設されても良い。
【００３０】
また、緩衝手段４０のばね体５１は、図８に示す如く、射出筒１４Ｃからの突設方向（立上り方向）において折れ曲がり部をもつ平板状をなすものでも良い。
【００３１】
図６〜図８のトリガー式液体噴出器１０にあっても、緩衝手段４０がばね体５１からなるものとすることにより、衝撃荷重の緩衝の確実を図ることができる。
【００３２】
尚、シュラウド３０はトリガーボディ１４と別部品化されず、一体成形されても良い。
【００３３】
また、緩衝手段４０はトリガーボディ１４の側に設けられるものに限らず、シュラウド３０の側に設けられるものでも良い。
【００３４】
また、リブ４１、ばね体５１はトリガーボディ１４又はシュラウド３０に一体成形されても良く、トリガーボディ１４又はシュラウド３０と別部品化されてそれらのトリガーボディ１４、シュラウド３０に取付けられても良い。
【００３５】
また、緩衝手段４０は、リブ４１に限らず、ゴム、スポンジ等の弾性部材によって構成されても良い。
【産業上の利用可能性】
【００３６】
本発明によれば、トリガー式液体噴霧器において、落下時のノズルの損傷を確実に防止することができる。
【符号の説明】
【００３７】
１０  トリガー式液体噴出器
１４  トリガーボディ
２０  ノズル
３０  シュラウド
４０  緩衝手段
５１  ばね体
【図１】
0004843073.tif 000002
【図２】
0004843073.tif 000003
【図３】
0004843073.tif 000004
【図４】
0004843073.tif 000005
【図５】
0004843073.tif 000006
【図６】
0004843073.tif 000007
【図７】
0004843073.tif 000008
【図８】
0004843073.tif 000009